(57)【要約】【課題】簡易な構造により低コストで、雨水等が当たる屋外に取付けて上向きに光を照射することができる照明器具を提供する。【解決手段】光源１２の上方をパンチングメタル１５で覆うので、雨水等の水は枠体１４の内部に浸入するが光源１２は防水性を有するので、雨天等の場合でも上方への光を照射することができる。また、枠体１４の下方を覆う底板部１７に、壁面１１側へ向かって下降する傾斜面を設けるとともに、水抜き部２０を設けたので、枠体１４に浸入した雨水等の水は、水抜き部２０から外部に排水される。このため、従来のように遮水版やパッキン等の防水部材を必要としないので、部品点数を減少させてコストダウンを図ることができる。なお、水抜き部と光源との間に遮光部材２５を設けたので光源１２からの光は遮光部材２５により遮断され、水抜き部２０に照明が当たらず見えないので、外観を損なうことがない。【選択図】図１
2009129757.tif 000002
【特許請求の範囲】
【請求項１】
壁面に取付可能であるとともに防水性を有する光源を支持する取付部と、
前記光源を覆い、かつ、前記光源の光を上方に照射できるように前記取付部に支持される枠体と、
前記枠体の上方を覆うパンチングメタルと、
前記枠体の下方を覆い、かつ、前記取付部側に向かって下向きに傾斜面となる底板部と、
前記枠体の下方、かつ、前記壁面側に設けられた水抜き部と、
前記光源の光が前記水抜き部に到達しないように前記枠体内に設置された遮光部材とを備えたことを特徴とする照明器具。
【発明の詳細な説明】
【技術分野】
【０００１】
本発明は、雨水等が当たる屋外に取付けて主に上向きに光を照射することができる照明器具に関するものである。
【背景技術】
【０００２】
雨水等が当たる屋外で使用できる従来の照明器具として、雨水等が器具本体内に浸入しても、器具本体に取付けられた電気部品に影響が及ばないように防水具が設けられている（例えば特許文献１参照）。
図４（Ａ）および（Ｂ）に示すように、特許文献１に記載の照明器具１００は、雨水等が当たる屋外の壁面１０１に固定される箱状の器具本体１０２と、この器具本体１０２の前面に嵌め込まれてネジ１０３ａで固定される透光性を有するグローブ１０３とを有している。器具本体１０２の内部には、光源である蛍光灯１０４や安定器等の多数の点灯用電気機器１０５のような水に弱い部品が取付けられており、これらの上方には、防水具として器具本体１０２内部に進入した水を遮って蛍光灯１０４や点灯用電気機器１０５を水から保護するための遮水壁１０６が設けられている。また、器具本体１０２の底壁１０２ａには、器具本体１０２内部に進入した水を排出するための水抜き穴１０７が設けられている。
【特許文献１】特開２００５−１５８４０４号公報（第１図）
【発明の開示】
【発明が解決しようとする課題】
【０００３】
しかしながら、前述した特許文献１に記載されているような従来の照明器具１００においては、器具内に浸入した水から電気機器１０５等を保護するために、遮水壁１０６を設けたり、グローブ１０３と器具本体１０２との間に防水用のパッキンを設けたりする必要があり、部品点数が増加する。また、上方に光を照射するためには、さら反射板のような部品が要求されるので、さらに部品点数が増加して製造コストが高くなるという問題があった。また、グローブ１０３を器具本体１０２に取付ける際に、防水性を高めるように組み付けることが要求され、組立性が悪くなるという問題もある。
【０００４】
本発明は、従来の問題を解決するためになされたもので、簡易な構造により低コストで、雨水等が当たる屋外に取付けて上向きに光を照射することができる照明器具を提供することを目的とする。
【課題を解決するための手段】
【０００５】
本発明の照明器具は、壁面に取付可能であるとともに防水性を有する光源を支持する取付部と、前記光源を覆い、かつ、前記光源の光を上方に照射できるように前記取付部に支持される枠体と、前記枠体の上方を覆うパンチングメタルと、前記枠体の下方を覆い、かつ、前記取付部側に向かって下向きに傾斜面となる底板部と、前記枠体の下方、かつ、前記壁面側に設けられた水抜き部と、前記光源の光が前記水抜き部に到達しないように前記枠体内に設置された遮光部材とを備えた構成を有している。
【０００６】
この構成により、光源の上方をパンチングメタルで覆うので、雨水等の水は枠体の内部に浸入するが光源は防水性を有するので、雨天等の場合でも上方への光を照射することができる。また、枠体の下方を覆う底板部に、壁面側へ向かって下降する傾斜面を設けるとともに、水抜き部を設けたので、枠体に浸入した雨水等の水は、水抜き部から外部に排水される。このため、従来のように遮水版やパッキン等の防水部材を必要としないので、部品点数を減少させてコストダウンを図ることができる。なお、水抜き部と光源との間に遮光部材を設けたので光源からの光は遮光部材により遮断され、水抜き部に照明が当たらず見えないので、外観を損なうことがない。
【発明の効果】
【０００７】
本発明は、光源の上方をパンチングメタルで覆うので、雨水等の水は枠体の内部に浸入するが光源は防水性を有するので、雨天等の場合でも上方への光を照射することができる。また、枠体の下方を覆う底板部に、壁面側へ向かって下降する傾斜面を設けるとともに、水抜き部を設けたので、枠体に浸入した雨水等の水は、水抜き部から外部に排水される。このため、従来のように遮水版やパッキン等の防水部材を必要としないので、部品点数を減少させてコストダウンを図ることができるという効果を有する照明器具を提供することができるものである。なお、水抜き部と光源との間に遮光部材を設けたので光源からの光は遮光部材により遮断され、水抜き部に照明が当たらず見えないので、外観を損なうのを防止することができる。
【発明を実施するための最良の形態】
【０００８】
以下、本発明の実施の形態の照明器具について、図面を用いて説明する。
図１（Ａ）は本発明の実施の形態にかかる照明器具の平面図、図１（Ｂ）は照明器具の正面図、図１（Ｃ）は照明器具の断面図、図２は照明器具の分解断面図である。
【０００９】
図１（Ａ）および（Ｂ）に示す照明器具１０は、雨水等が当たる屋外に取付けて主に上向きに光を照射することができるものであり、壁面１１に取付可能な取付部１３と、取付部１３に取り付けられる枠体１４とを有している。
【００１０】
図１および図２に示すように、取付部１３は、壁面１１に接触するベースプレート１３ａを有しており、ベースプレート１３ａはアンカーボルト等の取付手段により壁面１１に取付けられる。ベースプレート１３ａの前面には前方（図２において左方）へ突出するリブ１３ｂが設けられており、リブ１３ｂの先端には枠体１４を取付ける取付板１３ｃが設けられている。
【００１１】
枠体１４は、前面には前板１６が取付けられ、下面には底板（底板部）１７が取付けられ、壁面１１側には背板１９が設けられて、枠体１４の左右（図１（Ａ）および（Ｂ）において左右）端部には側板１８、１８が取付けられている。これにより、枠体１４は略矩形状をした箱状構造を形成している。背板１９にはネジ穴１９ａが設けられており、取付部１３に設けられているネジ１３ｄをネジ穴１９ａに通してナット１９ｅを締め付けることにより、枠体１４を取付部１３に取付けるようになっている。
【００１２】
なお、上面は開口しており、パンチングメタル１５が、背板１９から前方に突出して設けられている全体Ｌ字状の取付ブラケット１９ｂに、ネジ１５ａによって取付けられている。このパンチングメタル１５は、板状部材に穴をパンチングにより多数形成したものであり、光を十分に透過させるものである。
【００１３】
枠体１４の内部における図１（Ａ）中左側の側板１８には、ソケット台２１が取付けられており、ソケット台２１には防水性を有する光源である防水ランプ１２を取付けて電力を供給する防水仕様のソケット２２が取付けられている。ソケット２２に電力を供給する電線２３は、ソケット台２１の内部を通って、枠体１４の背板１９を貫通し、取付部１３に配線されている。また、枠体１４の内部における右側端部付近の底板１７上面には、防水ランプ１２の先端部付近を支持する支持バネ２４が取付けられている。
【００１４】
底板１７は、取付部１３側に向かって下向きに傾斜面（図２中矢印Ａ）となっており、パンチングメタル１５から枠体１４の内部に浸入した雨水等の水は、底板１７に沿って壁面１１側へ流れる。一方、背板１９の下端部には左右方向に１個または複数個の切欠き２０が設けられており、底板１７との間に空間が形成されて水抜き部を形成している（図２参照）。なお、切欠き２０を１個設ける場合には、切欠き２０の位置が最も低くなるように底板１７に左右方向の傾斜を設けるようにする。
【００１５】
これにより、底板１７に沿って流れてきた水は、切欠き２０から枠体１４の外部に排水される。なお、底板１７の上面における水抜き部２０の前方、すなわち防水ランプ１２側には、防水ランプ１２の光が水抜き部２０に到達しないように、遮光部材２５が取付けられている。なお、遮光部材２５は、切欠き２０に光が照射しない幅および高さを有しておればよく、背板１９と遮光部材２５との距離を小さくすれば遮光部材２５も小さくできるが、底板１７を伝って流れる水がスムーズに排水できる間隔を保持する必要がある。また、切欠き２０を複数個設ける場合には、切欠き２０ごとに設ける。
【００１６】
以上、説明した照明器具１０によれば、防水ランプ１２の上方をパンチングメタル１５で覆うので、雨水等の水は枠体１４の内部に浸入するが防水ランプ１２が防水性を有するので、雨天等の場合でも上方への光を照射することができる。また、枠体１４の下方を覆う底板１７に、壁面１１側へ向かって下降する傾斜面を設けるとともに、水抜き部２０を設けたので、枠体１４に浸入した雨水等の水は、水抜き部２０から外部に排水される。このため、従来のように遮水版やパッキン等の防水部材を必要としないので、部品点数を減少させてコストダウンを図ることができる。また、枠体１４自身の防水性を考慮する必要がなく、構造が簡易となるので組立性も改善される。
【００１７】
なお、本発明の照明器具は、前述した実施形態に限定されるものでなく、適宜な変形，改良等が可能である。
【産業上の利用可能性】
【００１８】
以上のように、本発明にかかる照明器具は、光源の上方をパンチングメタルで覆うので、雨水等の水は枠体の内部に浸入するが光源は防水性を有するので、雨天等の場合でも上方への光を照射することができる。また、枠体の下方を覆う底板部に、壁面側へ向かって下降する傾斜面を設けるとともに、水抜き部を設けたので、枠体に浸入した雨水等の水は、水抜き部から外部に排水される。このため、従来のように遮水版やパッキン等の防水部材を必要としないので、部品点数を減少させてコストダウンを図ることができる。また、水抜き部と光源との間に遮光部材を設けたので光源からの光は遮光部材により遮断され、水抜き部に照明が当たらず見えないので、外観を損なうのを防止することができるという効果を有し、雨水等が当たる屋外に取付けて主に上向きに光を照射することができる照明器具等として有用である。
【図面の簡単な説明】
【００１９】
【図１】（Ａ）は本発明の実施の形態にかかる照明器具の平面図、（Ｂ）は照明器具の正面図、（Ｃ）は照明器具の断面図
【図２】照明器具の分解断面図
【図３】水抜き孔と遮光部材との関係を示す斜視図
【図４】（Ａ）は従来の屋外用の照明器具を示す斜視図、（Ｂ）は同じく分解斜視図
【符号の説明】
【００２０】
１０  照明器具
１１  壁面
１２  防水ランプ（光源）
１３  取付部
１４  枠体
１５  パンチングメタル
１７  底板（底板部）
２０  水抜き部
２５  遮光部材
【図１】
2009129757.tif 000003
【図２】
2009129757.tif 000004
【図３】
2009129757.tif 000005
【図４】
2009129757.tif 000006